(57)【要約】【課題】湯水混合ユニットを備えた給湯システムの故障診断を容易かつ適切に行なうことができるようにする。【解決手段】給湯機１と湯水混合ユニット２とを備えた給湯システムＡを対象とし、その故障診断を行なうための方法であって、複数の給湯管６０Ａ〜６０Ｄの先栓６Ａ〜６Ｄを１つずつ個別に開いていきながら、複数の出湯経路Ｒ１〜Ｒ４の個々に対応して湯水混合ユニット２内の機器の検査を進めていく検査ステップと、複数の出湯経路Ｒ１〜Ｒ４のうち、１つの出湯経路のみに対応した検査では故障判断が不可能な特定の検査項目に関して、他の出湯経路に対応した検査結果を利用してどのように故障診断すべきかが定められた特定項目診断用データを予め準備しておき、２以上の出湯経路に対応する検査が行なわれているとき、またはその検査が終了した後に、その検査により得られた結果と前記特定項目診断用データとに基づいて、前記特定の検査項目についての故障診断を行なう特定項目診断ステップと、を有している。【選択図】  図１
2006242408.tif 000002
【特許請求の範囲】
【請求項１】
給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記複数の出湯経路には、動作用または状態監視用の複数の機器が設けられている給湯システムを対象とし、その故障診断を行なうための方法であって、
前記複数の給湯管の先栓を１つずつ個別に開いていきながら、前記複数の出湯経路の個々に対応して前記複数の機器の検査を進めていく検査ステップと、
前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを予め準備しておき、２以上の出湯経路に対応する検査が行なわれているとき、またはその検査が終了した後に、その検査により得られた結果と前記特定項目診断用データとに基づいて、前記特定の検査項目についての故障診断を行なう特定項目診断ステップと、
を有していることを特徴とする、給湯システムの故障診断方法。
【請求項２】
給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記各出湯経路には、動作用または状態監視用の複数の機器が設けられている給湯システムであって、
前記複数の給湯管の先栓を１つずつ個別に開いていく操作が行なわれるときに、前記複数の出湯経路の個々に対応して前記複数の機器の検査を所定の手順で進めていくことが可能な故障診断手段を備えており、
この故障診断手段は、前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを保持し、
２以上の出湯経路に対応する検査が行なわれているとき、またはその検査が終了した後には、その検査により得られた結果と前記特定項目診断用データとに基づいて、前記特定の検査項目についての故障診断を行なうように構成されていることを特徴とする、給湯システム。
【請求項３】
給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路と、制御手段とを有しており、かつ前記湯用配管、前記水用配管、および前記各出湯経路には、前記制御手段により駆動制御され、または前記制御手段に信号を送信する動作用または状態監視用の複数の機器が設けられている給湯システムを対象として使用され、かつ前記制御手段との通信機能を有するデータ処理手段および表示手段を備えている、給湯システム用故障診断装置であって、
前記データ処理手段は、
前記複数の給湯管の先栓を１つずつ個別に開いていく操作が行なわれるときに、前記制御手段にアクセスすることによって、前記複数の出湯経路の個々に対応して前記複数の機器の検査を所定の手順で進めていくステップと、
前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを保持しており、２以上の出湯経路に対応する検査が行なわれているとき、またはその検査が終了した後に、その検査により得られた結果と前記特定項目診断用データとに基づいて、前記特定の検査項目についての故障診断を行なう特定項目診断ステップと、
を実行可能に構成されていることを特徴とする、給湯システム用故障診断装置。
【請求項４】
給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記各出湯経路には、動作用または状態監視用の複数の機器が設けられている給湯システムに具備され、またはこの給湯システムに通信接続されるデータ処理手段に格納されて使用される給湯システム用故障診断プログラムであって、
前記複数の給湯管の先栓を１つずつ個別に開いていく操作が行なわれるときに、前記制御手段にアクセスすることによって、前記複数の出湯経路の個々に対応して前記複数の機器の検査を所定の手順で進めていくステップと、
前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを有しており、２以上の出湯経路に対応する検査が行なわれているとき、またはその検査が終了した後に、その検査により得られた結果と前記特定項目診断用データとに基づいて、前記特定の検査項目についての故障診断を行なうステップと、
を前記データ処理手段に実行させるデータを含んでいることを特徴とする、給湯システム用故障診断プログラム。
【発明の詳細な説明】
【技術分野】
【０００１】
本発明は、給湯機から出湯される湯を、台所、浴室、洗面所などの複数の給湯先に対して異なる温度で同時に供給できるようにされた給湯システムの故障診断を行なうための技術に関する。
【背景技術】
【０００２】
従来の給湯システムの具体例としては、給湯機と湯水混合ユニットとを組み合わせたものがある（たとえば、特許文献１，２を参照）。前記湯水混合ユニットは、前記給湯機から出湯した湯に水を混合させてその温度調整を行なう複数の湯水混合弁を有している。これら複数の湯水混合弁の下流には、給湯管が接続される複数の出湯経路が形成されており、湯水混合弁によって温度調整された湯は、それら複数の出湯経路から給湯管を経て、台所、浴室、洗面所などの所望の給湯先に送られるようになっている。また、前記給湯機および湯水混合ユニットには、リモコンが通信接続されており、このリモコンによって給湯先ごとの目標給湯温度を設定できるようになっている。前記湯水混合ユニットには、複数の湯水混合弁を好適に動作させて目標給湯温度の湯を生成するための補助機器として、この湯水混合ユニットへの入湯温度、入水温度、出湯温度などを測定するためのセンサ類などが設けられている。
【０００３】
このような構成の給湯システムによれば、給湯機から湯水混合ユニットに湯が供給された際に、複数の湯水混合弁を利用して異なる温度の湯を生成することが可能である。したがって、台所、浴室、洗面所などの複数の給湯先に対して、リモコンで設定されている目標出湯温度の湯を同時に供給することが可能であり、ユーザにとって便利である。
【０００４】
しかしながら、従来においては、次に述べるような解決すべき課題があった。
【０００５】
すなわち、前記したような給湯システムでは、湯水混合ユニットに多くの動作機器やセンサ類が設けられており、給湯システムを長期間使用しているような場合には、これらの機器が故障する可能性がある。ところが、従来においては、故障が発生した場合、とくに湯水混合ユニットの内部の機器に故障が発生した場合に、その故障箇所を容易かつ正確に特定するための手段は、なんら提案されていないのが実情である。このため、従来では、故障が発生した場合に、その修理を行なうのに苦慮することとなっていた。とくに、湯水混合ユニットは、複数の出湯経路を有し、その内部構造は複雑であるため、故障箇所の特定は難しい。なお、本出願人は、給湯機用の故障診断支援装置を先に提案しているが（たとえば、特許文献３，４を参照）、一般の給湯機にはみられない特有の構造をもつ湯水混合ユニットにこの診断支援装置をそのまま用いても、適正な故障診断は困難である。
【０００６】
【特許文献１】特開平１１−２７０８６８号公報
【特許文献２】特開２００３−８３６０３号公報
【特許文献３】特開２００１−３１１５４８号公報
【特許文献４】特開２００４−５３１１２号公報
【発明の開示】
【発明が解決しようとする課題】
【０００７】
本発明は、このような事情のもとで考え出されたものであって、湯水混合ユニットを備えた給湯システムの故障診断を容易かつ適切に行なうことができるようにすることを、その課題としている。
【課題を解決するための手段】
【０００８】
上記の課題を解決するため、本発明では、次の技術的手段を講じている。
【０００９】
本発明の第１の側面によれば、給湯システムの故障診断方法が提供される。この給湯システムの故障診断方法は、給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記複数の出湯経路には、動作用または状態監視用の複数の機器が設けられている給湯システムを対象とし、その故障診断を行なうための方法であって、前記複数の給湯管の先栓を１つずつ個別に開いていきながら、前記複数の出湯経路の個々に対応して前記複数の機器の検査を進めていく検査ステップと、前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを予め準備しておき、２以上の出湯経路に対応する検査が行なわれているとき、またはその検査が終了した後に、その検査により得られた結果と前記特定項目診断用データとに基づいて、前記特定の検査項目についての故障診断を行なう特定項目診断ステップと、を有していることを特徴としている。
【００１０】
本発明の第２の側面によれば、給湯システムが提供される。この給湯システムは、給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記各出湯経路には、動作用または状態監視用の複数の機器が設けられている給湯システムであって、前記複数の給湯管の先栓を１つずつ個別に開いていく操作が行なわれるときに、前記複数の出湯経路の個々に対応して前記複数の機器の検査を所定の手順で進めていくことが可能な故障診断手段を備えており、この故障診断手段は、前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを保持し、２以上の出湯経路に対応する検査が行なわれているとき、またはその検査が終了した後には、その検査により得られた結果と前記特定項目診断用データとに基づいて、前記特定の検査項目についての故障診断を行なうように構成されていることを特徴としている。
【００１１】
本発明の第３の側面によれば、給湯システム用故障診断装置が提供される。この給湯システム用故障診断装置は、給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路と、制御手段とを有しており、かつ前記湯用配管、前記水用配管、および前記各出湯経路には、前記制御手段により駆動制御され、または前記制御手段に信号を送信する動作用または状態監視用の複数の機器が設けられている給湯システムを対象として使用され、かつ前記制御手段との通信機能を有するデータ処理手段および表示手段を備えている、給湯システム用故障診断装置であって、前記データ処理手段は、前記複数の給湯管の先栓を１つずつ個別に開いていく操作が行なわれるときに、前記制御手段にアクセスすることによって、前記複数の出湯経路の個々に対応して前記複数の機器の検査を所定の手順で進めていくステップと、前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを保持しており、２以上の出湯経路に対応する検査が行なわれているとき、またはその検査が終了した後に、その検査により得られた結果と前記特定項目診断用データとに基づいて、前記特定の検査項目についての故障診断を行なう特定項目診断ステップと、を実行可能に構成されていることを特徴としている。
【００１２】
本発明の第４の側面によれば、給湯システム用故障診断プログラムが提供される。この給湯システム用故障診断プログラムは、給湯機と湯水混合ユニットとを備え、この湯水混合ユニットは、前記給湯機から湯が供給される湯用配管と、給水管から水が供給される水用配管と、これら湯用配管および水用配管のそれぞれに接続された複数の湯水混合手段と、これら複数の湯水混合手段の下流に形成されて先栓を備えた給湯管が接続される複数の出湯経路とを有しており、かつ前記湯用配管、前記水用配管、および前記各出湯経路には、動作用または状態監視用の複数の機器が設けられている給湯システムに具備され、またはこの給湯システムに通信接続されるデータ処理手段に格納されて使用される給湯システム用故障診断プログラムであって、前記複数の給湯管の先栓を１つずつ個別に開いていく操作が行なわれるときに、前記制御手段にアクセスすることによって、前記複数の出湯経路の個々に対応して前記複数の機器の検査を所定の手順で進めていくステップと、前記複数の出湯経路のうち、１つの出湯経路のみに対応した検査では故障判断が不可能な特定の検査項目に関して、他の出湯経路に対応した検査結果を利用してどのように故障診断すべきかが定められた特定項目診断用データを有しており、２以上の出湯経路に対応する検査が行なわれているとき、またはその検査が終了した後に、その検査により得られた結果と前記特定項目診断用データとに基づいて、前記特定の検査項目についての故障診断を行なうステップと、を前記データ処理手段に実行させるデータを含んでいることを特徴としている。
【００１３】
本発明においては、複数の給湯先の先栓を1つずつ個別に開いていくことにより、湯水混合ユニットが備える複数の出湯経路の1つずつに対応した検査が進められていくこととなるが、本発明は、そのような出湯経路ごとの検査のみに終始するものではない。湯水混合ユニットが複雑な構造を有し、多くの機器を備えたものである場合、個々の出湯経路に対応した検査を行なうだけでは、故障の有無を判断することが困難な検査項目がある。本発明では、このような検査項目については、特定の検査項目として予め選定し、かつ２以上の出湯経路についての検査結果を利用してどのように判断すべきかを定めた特定項目診断用データを準備している。そして、２以上の出湯経路に対応した検査を実際に行なうことによって得られた結果と、前記特定項目診断用データとに基づいて、前記特定の検査項目についての故障診断を行なう。したがって、複数の出湯経路を個々に検査しただけでは判断することができない検査項目についても、適切に故障診断することが可能となる。したがって、本発明は、複雑な配管構造をもつ湯水混合ユニットを備えた給湯システムの故障診断に最適である。もちろん、本発明では、複数の給湯管の先栓を１つずつ個別に開く操作はメンテナンス業者が手動などで行なうものの、それ以外の処理は、適当な情報処理手段を用いるなどして行なわせることが可能であり、故障診断作業の容易化も適切に図ることができる。
【００１４】
本発明のその他の特徴および利点は、添付図面を参照して以下に行なう発明の実施の形態の説明から、より明らかになるであろう。
【発明を実施するための最良の形態】
【００１５】
以下、本発明の好ましい実施の形態を、図面を参照して具体的に説明する。
【００１６】
図１は、本発明が適用される給湯システムの一実施形態を示している。本実施形態の給湯システムＡは、給湯機１、湯水混合ユニット２、および複数のリモコン３（３Ａ〜３Ｃ）を備えている。
【００１７】
給湯機１は、たとえばガス燃焼式の給湯機であり、その基本的なハード構成は、従来既知のものと同様である。具体的には、この給湯機１は、缶体１１内に送風ブロア１６から燃焼用空気を送り込みながら、燃焼器１２により燃料ガスを燃焼させるようになっている。この燃焼器１２の上方には、水管１３を有する熱交換器１４が設けられている。水管１３の入水口１３ａには、水道管などの給水管４０Ａが接続されている。熱交換器１４の熱交換により得られた湯は、水管１３の出湯口１３ｂから出湯し、配管４１を介して湯水混合ユニット２の給湯口２１ａに供給されるようになっている。
【００１８】
給湯機１は、制御部１０を備えている。この制御部１０は、ＣＰＵやこれに付属する各種のメモリを具備して構成されており、また湯水混合ユニット２やリモコン３との通信を行なうための通信回路（図示略）も具備している。この制御部１０は、出湯温度の変更制御を実行する。この制御は、燃焼器１２に対する燃料ガスの供給量調整、あるいは熱交換器１４を通過した湯に水を混合させるバイパス経路１３ｃに設けられている流量調整弁１５の開度を調整するなどして行なわれる。この給湯機１においては、後述する複数の先栓６Ａ〜６Ｄのいずれかが開状態とされることにより水管１３内に水流が生じ、かつその流量が予め定められた閾値を超えると、燃焼器１２などが駆動するようになっている。また、前記流量が閾値以下に減少すると、燃焼器１２などの駆動が停止されるようになっており、このような制御も制御部１０が担当している。
【００１９】
複数のリモコン３としては、たとえば台所に設置されるメインのリモコン３Ａと、浴室や洗面所に設置されるサブのリモコン３Ｂ，３Ｃとがある。これらのリモコン３は、いずれも目標給湯温度や給湯流量（最大給湯流量）などのデータを入力設定するための複数の操作スイッチ３１、液晶パネルなどを用いて構成されたデータ表示用の表示部３２、および各種のデータ処理などを実行する制御部３０を備えている。この制御部３０は、給湯機１の制御部１０との間で通信線５０を介してデータ通信を行なう機能も有している。なお、給湯機１の制御部１０においては通信線５０と後述する通信線５１とが接続されており、各リモコン３は、これら通信線５０，５１のいずれかに接続された装置（たとえば、湯水混合ユニット２や後述する診断装置Ｂ）との間で通信可能である。通信線５０には、給湯機１から各リモコン３に対して駆動電力を供給すべく直流電圧印加がなされており、前記データ通信方式としては、ＡＭ変調波が重畳されて伝送される重畳２芯方式が用いられている。各リモコン３において目標給湯温度などのデータが入力設定されると、このデータは、湯水混合ユニット２の後述する制御部２０に送信される。ただし、サブのリモコン３Ｂ，３Ｃは、それらが設置されている浴室または洗面所についてのデータを設定し得るに過ぎないのに対し、メインのリモコン３Ａにおいては、サブのリモコン３Ｂ，３Ｃで設定されたデータ内容を取り込んで記憶可能であり、また台所、浴室、洗面所のいずれの給湯先についても目標給湯温度などのデータを入力設定できるようになっている。
【００２０】
湯水混合ユニット２は、給湯口２１ａを有する湯用配管２１Ａ、水道管などの給水管４０Ｂが接続された入水口２１ｂを有する水用配管２１Ｂ、これらの配管２１Ａ，２１Ｂに流れる湯と水を所定の比率で混合させて所望温度の湯を生成するための複数の湯水混合弁２３（２３Ａ〜２３Ｃ）、およびこれら複数の湯水混合弁２３の駆動制御を行なう制御部２０を備えている。複数の湯水混合弁２３の下流側には、それと同数の配管２４Ａ〜２４Ｃが接続されている。ただし、配管２４Ｃは、２つに分岐しており、湯水混合弁２３の個数増加を抑制しつつ、給湯先を増やしている。この構成により、３つの湯水混合弁２３の下流側には、４つの出湯経路Ｒ１〜Ｒ４が形成されている。これらの出湯経路Ｒ１〜Ｒ４の終端は、給湯管６０Ａ〜６０Ｄを接続するための接続口２４ａ〜２４ｄとなっている。なお、給湯管６０Ａ〜６０Ｄは、たとえば台所、浴室、および２つの洗面所に湯を流通させるものであり、それらの終端には、先栓（給湯栓）６Ａ〜６Ｄが取り付けられている。
【００２１】
図２を参照して湯水混合ユニット２の構造をさらに詳述する。各湯水混合弁２３の入湯・入水口には、湯用配管２１Ａおよび水用配管２１Ｂの終端もしくはそれらの分岐配管が接続されている。各湯水混合弁２３は、たとえば電動モータＭの駆動によって弁本体２３ａを動作させることにより湯と水の混合割合を変更自在である。湯用配管２１Ａおよび水用配管２１Ｂのうち、湯水混合弁２３よりも上流側には、入湯開閉弁２２Ａ、入水開閉弁２２Ｂ、入湯温度センサ７０Ａ、入水温度センサ７０Ｂ、および各湯水混合弁２３からの逆流を防止する複数の逆止弁７４が設けられている。各湯水混合弁２３の下流側の配管２４Ａ〜２４Ｃには、各湯水混合弁２３から流出した湯の温度を検出するための出湯温度センサ７１、各湯水混合弁２３から流出する湯の最大流量を制限するための過流出防止弁７２、および流量センサ７３（７３Ａ〜７３Ｄ）が設けられている。前記した各種センサからの信号は制御部２０に送信され、また前記した各種の弁（逆止弁を除く）は、制御部２０により駆動制御される。
【００２２】
制御部２０は、給湯機１の制御部１０と同様に、ＣＰＵやこれに付属する各種のメモリを具備して構成されており、また図１に示すように、給湯機１の制御部１０との間で通信線５１を介して通信を行なう通信回路（図示略）も具備している。この通信方式も、先に述べたのと同様な重畳２芯方式である。ただし、湯水混合ユニット２には、たとえば商用電源から電力供給が行なわれるようになっており、通信線５１を利用した電力供給は行なわれない。この制御部２０は、リモコン３からの指令や、この制御部２０の記憶部に記憶されている制御プログラムなどに基づいて、各種のデータ処理や湯水混合ユニット２の各部の動作制御処理を行なう。そして、後述するように、所定の診断装置が通信接続され、かつこの診断装置から指示があったときには、その指示にしたがった制御を行なうようになっている。
【００２３】
次に、前記した給湯システムＡを運転させる際の作用について簡単に説明する。
【００２４】
まず、リモコン３Ａ〜３Ｃの操作スイッチ３１が操作されて、台所、浴室、および洗面所のそれぞれにおける目標給湯温度などのデータが設定されると、これらのデータは湯水混合ユニット２の制御部２０に送信され、かつこの制御部２０に記憶される。次いで、先栓６Ａ〜６Ｄのいずれかが開かれると、給湯機１の燃焼器１２の駆動が開始されて給湯が実行されることとなるが、その際、制御部２０は複数の流量センサ７３Ａ〜７３Ｄからの流量検出信号に基づいて出湯経路Ｒ１〜Ｒ４のいずれに水流が生じているかを判断する。制御部２０には、出湯経路Ｒ１〜Ｒ４と複数の給湯先との対応関係のデータが記憶されており、この対応関係に基づいて制御部２０は、台所、浴室、および洗面所のいずれが給湯先であるかを判断する。その後、制御部２０は、その給湯先の目標給湯温度に基づいて給湯機１の出湯温度を決定し、この出湯温度で出湯を行なう旨の指示を給湯機１の制御部１０に対して行なう。この出湯温度は、たとえば目標給湯温度よりも５〜１０°Ｃ程度高い温度である。給湯機１は前記指示にしたがった温度の湯を湯水混合ユニット２に向けて出湯することとなり、制御部２０は、この湯が目標給湯温度となるように給湯先に対応する湯水混合弁２３を制御する。この湯水混合弁２３によって温度調整された湯が、所定の給湯先に供給される。
【００２５】
次に、本発明に係る給湯システムの故障診断方法の一例について、前記した給湯システムＡを対象として実施する場合について説明する。
【００２６】
本実施形態の故障診断方法においては、図１に示すように、診断装置Ｂを用いる。この診断装置Ｂは、データ処理部８０、文字やその他の画像を表示可能な表示部８１、および操作スイッチを有する操作部８２を備えている。この診断装置Ｂは、たとえばディスプレイを有するパーソナルコンピュータに、後述するようなステップを実行させるための故障診断プログラムをインストールすることによって実現されたものである。この診断装置Ｂは、給湯システムＡの制御部２０との間でデータ通信可能な機能を有しており、通信線５１または５０の適当な箇所にインタフェース８９を介して接続して使用する。前述したとおり、通信線５０，５１は、給湯機１の制御部３０において互いに接続され、これら通信線５０，５１のいずれかに接続された装置（たとえば、診断装置Ｂ）は、全て同一通信線上に接続されたものとなり、通信線５０，５１のいずれかに接続された他の全ての装置との間で相互に通信可能である。
【００２７】
診断装置Ｂを用いた故障診断方法においては、表示部８１に診断者に対するメッセージを適宜表示させることにより、診断者に所定の操作を行なうことを促し、また故障診断の結果なども表示部８１に表示させるようになっている。データ処理部８０は、操作部８２に対して所定の操作がなされたときには、適宜その操作内容に応じたデータ処理を実行するようになっている。また、データ処理部８０は、湯水混合ユニット２の制御部２０にアクセスし、この制御部２０を介して湯水混合ユニット２の動作機器を動作させたり、あるいは各種センサから必要な情報を受け取るなどして、故障診断処理を進めていくようになっている。
【００２８】
また、データ処理部８０による診断処理は、基本的には、給湯システムＡの４つの出湯経路Ｒ１〜Ｒ４のうち、診断者によって選択された１つの出湯経路に対応した所定の項目を検査し、これを終えると、次に選択された他の１つの出湯経路に対応した項目の検査に移行し得るようになっている。そして、それら個別の出湯経路の検査では故障判定を下すことができずにその故障判定を保留していた特定の検査項目については、２以上の出湯経路の検査を終了した段階で、それらの検査結果に基づき、判断を行なうようになっている。
【００２９】
以下、データ処理部８０の具体的な動作処理手順の一例について、図３〜図５のフローチャートを参照しつつ説明する。
【００３０】
データ処理部８０は、まず４つの出湯経路Ｒ１〜Ｒ４のうち、いずれを検査対象とするかを診断者に選択させるための画面を表示部８１に表示させる（Ｓ１）。この表示は、たとえば出湯経路Ｒ１〜Ｒ４の表示が、それぞれ台所、浴室、洗面所、その他などの給湯先の名称で表示され、これらの給湯先のいずれか１つを診断者が操作部８２を操作して自由に選択できるようになっている。この表示に対応して、選択操作がなされると（Ｓ２：ＹＥＳ）、データ処理部８０は、その選択された出湯経路の先栓を開くことを促す画面を表示する（Ｓ３）。より具体的には、たとえば台所が選択された場合には、「台所の先栓を開いてください」といったメッセージ表示を行なう。これに対応して、診断者がたとえば台所の先栓６Ａを開くと、これにより湯水混合ユニット２が運転オンとなる（Ｓ４）。ここで、前記「運転オン」とは、湯水混合ユニット２が実際に湯温制御などを行なうモードである。湯水混合ユニット２が自動的に運転オンにならない仕様の場合、データ処理部８０の指令により運転オンとする。
【００３１】
次いで、データ処理部８０は、給湯機１との間で一定の手順で通信を試行し、この給湯機１との間で通信が可能であるか否かを判断する（Ｓ５）。そして、通信可能であると判断した場合には、データ処理部８０は、給湯機１に対して出湯温度を指示する（Ｓ５：ＹＥＳ，Ｓ６）。故障診断作業において余りにも高温の湯を使用することは無駄であるため、前記出湯温度はたとえば４０°Ｃとする。給湯機１は、前述したとおり、湯水混合ユニット２やリモコン３との間で通信可能であるため、データ処理部８０との間でも通信可能である。したがって、この場合には前記した処理が実行される。なお、湯水混合ユニット２には、それ専用の給湯機１に代えて、通信機能を有しない他の給湯機を組み合わせて使用することも可能である。このような給湯機が用いられている場合、データ処理部８０は、その給湯機との通信が不可能であると判断した後に、たとえば「給湯機の出湯温度を４０°Ｃに設定してください」のメッセージを表示部８１に表示させる（Ｓ５：ＮＯ，Ｓ１１）。通信不可能な給湯機に対しては、データ処理部８０が給湯機に対して出湯温度の指示を行なうことができないため、前記表示は、そのような操作を診断者に行なわせるためのものである。
【００３２】
前記した処理を終えると、データ処理部８０は、入湯開閉弁２２Ａを閉じさせるとともに、入水開閉弁２２Ｂを開かせる指令、および先に選択された出湯経路の湯水混合弁２３を水側全閉・湯側全開とする指令を行なう（Ｓ７，Ｓ８）。選択された給湯先が「台所」の場合、湯水混合弁２３Ａがその指令対象となる。前記指令にしたがったセッティング状態では、湯水混合弁２３Ａに対しては湯が供給されず、また湯水混合弁２３Ａは供給されてくる水を下流に通過させない。したがって、前記各部が指令通りに動作しているならば、湯水混合弁２３Ａの下流に水流が生じることはなく、流量センサ７３Ａでは流量検出はなされない。データ処理部８０は、流量センサ７３Ａによって流量検出がなされているか否かを制御部２０を介して監視し、前記のセッティング状態において流量検出がない場合には、入湯開閉弁２２Ａの閉じ動作は、正常であると判断する（Ｓ９：ＹＥＳ，Ｓ１０）。
【００３３】
一方、前記とは異なり、流量センサ７３Ａによって流量検出がなされている場合には（Ｓ９：ＮＯ）、いずれかの部分が故障していると考えられる。ただし、前記した動作処理だけでは、いずれの部分が故障しているのかを特定することはできない。データ処理部８０は、この場合には、その判定処理を一時保留し、「台所」に対応する出湯経路Ｒ１とは別の出湯経路の検査処理を終えた段階、またはその途中で、ステップＳ１２を実行するようになっている。このステップＳ１２を実行するためのデータは、本発明でいう特定項目診断用データの一例に相当する。また、後述するステップＳ２４〜Ｓ２７，Ｓ４２をそれぞれ実行するためのデータも、特定項目診断用データの具体例に相当する。
【００３４】
ステップＳ１２では、ステップＳ１９がＮＯであることを前提として、出湯経路Ｒ１〜Ｒ４のうち、出湯経路Ｒ１とは別の出湯経路についての検査においても、流量センサ７３による流量検出があれば、入湯開閉弁２２Ａが異常であると判断される。たとえば、複数の流量センサ７３の全てにおいて流量が検出されている場合には、これら複数の流量センサ７３が異常であるとは考え難く、水流が発生しているのは入湯開閉弁２２Ａが適切に閉じていないと考えられるからである。また、前記とは異なり、別の出湯経路についての検査において、流量センサ７３による流量検出がなければ、複数の流量センサ７３のいずれかが異常であると判断される。複数の流量センサ７３の一部で流量検出がなされ、かつ他の一部で流量検出がなされていない場合には、入湯開閉弁２２Ａが適切に閉じていると認定することが可能であり、この場合には一部の流量センサ７３に異常があると考えられるからである。
【００３５】
データ処理部８０は、ステップＳ１０を終えると、出湯経路Ｒ１に対応する湯水混合弁２３Ａを水側全開・湯側全閉とする指令を行なう（Ｓ１３）。次いで、流量センサ７３Ａによる流量検出があるか否かを監視する。前記指令にしたがった状態においては、入水開閉弁２２Ｂが適切に開いているのであれば、流量センサ７３Ａの下流に水が流れるはずである。データ処理部８０は、流量検出があると、入水開閉弁２２Ｂの開動作は正常であると判断する（Ｓ１４：ＹＥＳ，Ｓ１５）。
【００３６】
前記とは異なり、流量センサ７３Ａによる流量検出がない場合には（Ｓ１４：ＮＯ）、いずれかの部分が故障していると考えられる。ただし、前記動作処理だけでは、その異常箇所を特定することはできない。データ処理部８０は、この場合にも、異常判定処理を一時保留し、出湯経路Ｒ１とは別の出湯経路の検査処理を終えた段階、またはその途中で、ステップＳ２４を実行する。
【００３７】
ステップＳ２４では、ステップＳ１４がＮＯであることを前提として、出湯経路Ｒ１とは別の出湯経路についての検査においても、流量センサ７３による流量検出がなければ、入水開閉弁２２Ｂは異常であると判断される。複数の流量センサ７３の全てにおいて流量検出がなされていない場合、これら複数の流量センサ７３が異常であるとは考え難く、水流が発生していないのは入水開閉弁２２Ｂが適切に開いていないと考えられるからである。また、前記とは異なり、別の出湯経路についての検査において、流量検出がなされている場合には、流量センサ７３が異常であると判断される。複数の流量センサ７３の一部で流量検出がなされ、かつ他の一部で流量検出がなされていない場合には、入水開閉弁２２Ｂが適切に開いていると認定することが可能であり、一部の流量センサ７３に異常があると考えられるからである。
【００３８】
データ処理部８０は、ステップＳ１５を終えると、入水温度センサ７０Ｂの検出温度と出湯経路Ｒ１にある出湯温度センサ７１の検出温度とが一致するか否かを判断する（Ｓ１６）。この判断時においては、湯水混合弁２３Ａへの湯の供給は停止されており、湯水混合弁２３Ａには、給水管４０Ｂの水のみが供給され、かつ通過する。データ処理部８０は、前記２つの検出温度が一致する場合には、入水温度センサ７０Ｂと出湯経路Ｒ１の出湯温度センサ７１とは、正常であると判断する（Ｓ１６：ＹＥＳ，Ｓ１７）。なお、検出温度が一致するか否かの判断に際しては、２つの検出温度が相違している場合であっても、その差が予め定められた許容範囲内であれば、それらは一致するものとする。この点は、後述する他のステップの場合においても同様である。
【００３９】
前記とは異なり、前記２つの検出温度が一致しない場合には（Ｓ１６：ＮＯ）、２つの温度センサ７０Ｂ，７１のいずれかが異常であると考えられる。ただし、前記条件だけでは、いずれが異常であるかを判断することはできない。データ処理部８０は、この場合にも、異常判定処理を一時保留し、出湯経路Ｒ１とは別の出湯経路の検査処理を終えた段階、またはその途中で、ステップＳ２５を実行する。
【００４０】
ステップＳ２５では、ステップＳ１６がＮＯであることを前提として、出湯経路Ｒ１とは別の出湯経路についての検査においても、前記２つの検出温度が一致しなければ、入水温度センサ７０Ｂが異常であると判断される。複数の出湯温度センサ７１の全てが故障している可能性はかなり低く、少なくとも１つの出湯温度センサ７１は適正であると考えられる一方、入水温度センサ７０Ｂの検出温度が、複数の出湯温度センサ７１のいずれの検出温度にも一致しない状況を生じるのは、入水温度センサ７０Ｂに異常があると考えられるからである。また、前記とは異なり、別の出湯経路についての検査において、前記２つの検出温度が一致する場合には、出湯温度センサ７１が異常であると判断される。少なくとも１つの出湯経路で２つの検出温度が一致するのであれは、入水温度センサ７０Ｂが異常であるとは考えられず、もう一方の複数の出湯温度センサ７Ｉのいずれかに異常があると考えられるからである。
【００４１】
データ処理部８０は、ステップＳ１７の後には、入湯開閉弁２２Ａを開かせ、かつ入水開閉弁２２Ｂを閉じさせる指令を行ない、流量センサ７３Ａによる流量検出があるか否かを監視する（Ｓ１８，Ｓ１９）。この監視時においては、本来的には、湯水混合弁２３Ａに対する水の供給が停止され、また湯水混合弁２３Ａには湯が供給されるものの、この湯水混合弁２３Ａは湯側全閉であるため、流量センサ７３Ａの下流に水流は生じない状態にある。データ処理部８０は、流量センサ７３Ａによる流量検出がない場合には、入水開閉弁２２Ｂの閉じ動作が正常であると判断する（Ｓ１９：ＹＥＳ，Ｓ２０）。
【００４２】
なお、前記ステップＳ１８〜Ｓ２０は、入水開閉弁２２Ｂの閉じ動作が正常であることを確認する動作処理であるが、先に説明したステップＳ７〜Ｓ１０は、入湯開閉弁２２Ａの閉じ動作が正常であることを確認する動作処理である。これら２つの動作処理は、湯水混合弁２３Ａに向けて水を供給するか湯を供給するかの相違はあるものの、それらの検査の仕方は本質的には同じである。
【００４３】
前記とは異なり、流量センサ７３Ａによる流量検出がある場合には（Ｓ１９：ＮＯ）、やはりなんらかの異常があると考えられる。ただし、前記条件だけでは、その異常箇所を特定することは、やはりできない。データ処理部８０は、この場合にも、異常判定処理を一時保留し、出湯経路Ｒ１とは別の出湯経路の検査処理を終えた段階、またはその途中で、ステップＳ２６を実行する。
【００４４】
ステップＳ２６では、ステップＳ１９がＮＯであることを前提として、出湯経路Ｒ１とは別の出湯経路についての検査においても、流量センサ７３による流量検出があれば、入水開閉弁２２Ｂが異常であると判断される。また、これとは異なり、別の出湯経路についての検査において、流量センサ７３による流量検出がなければ、流量センサ７３が異常であると判断される。このステップ２６は、入水開閉弁２２Ｂの故障診断が可能であり、入湯開閉弁２２Ａの故障診断が可能なステップＳ１２とはその対象が相違するものの、このステップ２６における異常判断の考え方は、ステップＳ１２の場合と同様である。
【００４５】
データ処理部８０は、ステップＳ２０の後には、湯水混合弁２３Ａを水側全閉・湯側全開とする指令を行なってから、流量センサ７３Ａによる流量検出があるか否かを監視する（Ｓ２１，Ｓ２２）。この監視時は、本来的には、湯水混合弁２３Ａに対して水が供給されること、および通過することが阻止され、湯水混合弁２３Ａの下流には、湯のみが流れる状態である。データ処理部８０は、流量センサ７３Ａによる流量検出があると、入湯開閉弁２２Ａの開動作は正常であると判断する（Ｓ２２：ＹＥＳ，Ｓ２３）。これらステップＳ２１〜Ｓ２３は、入湯開閉弁２２Ａの開動作確認処理であり、これは先に述べたステップＳ１３〜Ｓ１５の入水開閉弁２２Ｂの開動作確認処理と比較して、湯水混合弁２３Ａに向けて水を供給するか湯を供給するかの相違はあるものの、それらの検査の仕方は本質的に同じである。
【００４６】
前記とは異なり、流量センサ７３Ａによる流量検出がない場合には（Ｓ２２：ＮＯ）、やはり異常があると考えられるが、これまでの動作処理だけでは、その異常箇所を特定することはできない。データ処理部８０は、この場合にも、その判定処理を保留し、出湯経路Ｒ１とは別の出湯経路の検査処理を終えた段階、またはその途中段階で、ステップＳ２７を実行する。
【００４７】
ステップＳ２７では、ステップＳ２２がＮＯであることを前提として、出湯経路Ｒ１とは別の出湯経路についての検査においても、流量センサ７３による流量検出がなければ、入湯開閉弁２２Ａが異常であると判断される。また、これとは異なり、他の出湯経路において流量検出がある場合には、流量センサ７３が異状であると判断される。この判断は、ステップＳ２４で述べたのと同様な考え方に基づいている。
【００４８】
データ処理部８０は、ステップＳ２３の後には、入湯温度センサ７０Ａの検出温度と出湯経路Ｒ１の出湯温度センサ７１の検出温度とが一致するか否かを判断する（Ｓ２８）。この判断時においては、湯水混合弁２３Ａへの水の供給は停止されており、湯水混合弁２３Ａには、湯のみが供給され、かつ通過する。したがって、本来であれば、入湯温度センサ７０Ａと出湯温度センサ７１との検出温度は一致するはずであり、これらの温度が一致しない場合には（Ｓ２８：ＮＯ）、センサ７０Ａ，７１のいずれかが異常であると考えられる。ただし、出湯経路Ｒ１についての検査だけでは、いずれが異常であるかを判断することはできない。この場合、データ処理部８０は、その判断を一時保留し、出湯経路Ｒ１とは別の出湯経路の検査処理を終えた段階、またはその途中段階で、ステップＳ４２を実行する。
【００４９】
このステップ４２では、ステップＳ２８がＮＯであることを前提として、出湯経路Ｒ１とは別の出湯経路についての検査においても、前記２つの検出温度が一致しないのであれば、入湯温度センサ７０Ａが異常であると判断される。また、これとは異なり、別の出湯経路についての検査において、前記２つの検出温度が一致する場合には、出湯温度センサ７１が異常であると判断される。このステップ４２における判断は、ステップＳ２５で述べたのと同様な考え方に基づいている。
【００５０】
ステップＳ２８において、入湯温度センサ７０Ａと出湯温度センサ７１との検出温度が一致した場合には、データ処理部８０は、その後入湯温度センサ７０Ａの検出温度が、給湯機１に対して先に指示した出湯温度と一致するか否かを判断する（Ｓ２９）。そして、それらの温度が不一致であれば、給湯機１が異常であると判断して検査処理を終了する（Ｓ２９：ＮＯ，Ｓ４３）。これに対し、前記温度が一致すれば、データ処理部８０は、入湯温度センサ７０Ａは正常であると判断する（Ｓ２９：ＹＥＳ，Ｓ３０）。次いで、データ処理部８０は、出湯温度センサ７１の検出温度は、給湯機１の出湯温度と一致するか否かを判断し、不一致であれば、給湯機１が異常であると判断する（Ｓ３１：ＮＯ，Ｓ４３）。これに対し、前記温度が一致すれば、出湯温度センサ７１は、正常であると判断される（Ｓ３１：ＹＥＳ，Ｓ３２）。
【００５１】
その後、データ処理部８０は、湯水混合弁２３Ａや過流出防止弁７２の検査を実行していく。湯水混合弁２３Ａの検査では、まず入湯開閉弁２２Ａおよび入水開閉弁２２Ｂをともに開かせてから、湯水混合ユニット２の制御部２０に目標給湯温度の変更指示を行なう（Ｓ３３，Ｓ３４）。この指示に対して、出湯温度センサ７１の検出温度が変更後の目標給湯温度に一致するように変更されていれば、データ処理部８０は、湯水混合弁２３Ａは正常であると判断する（Ｓ３５：ＹＥＳ，Ｓ３６）。そうでない場合には、湯水混合弁２３Ａは異常であると判断する（Ｓ３５：ＮＯ，Ｓ４４）。過流出防止弁７２の検査では、データ処理部８０が湯水混合ユニット２の制御部２０に目標給湯流量の変更指示を行なう（Ｓ３７）。これに対して、流量センサ７３Ａの検出流量がその目標給湯流量に一致するように変更されていれば、データ処理部８０は、過流出防止弁７２は正常であると判断する（Ｓ３８：ＹＥＳ，Ｓ３９）。そうでない場合には、過流出防止弁７２は異常であると判断される。
【００５２】
前記した一連の検査処理において、異常箇所が判断されなかった場合には、出湯経路Ｒ１とは別の出湯経路に対応した検査処理を続行することとなる。このため、データ処理部８０は、出湯経路Ｒ１の先栓を閉じることを診断者に促すメッセージを表示部８１に表示させた後に、他の出湯経路Ｒ２〜Ｒ４についても検査するか否かを問いかけるメッセージを表示させる（Ｓ４０，Ｓ４１）。他の出湯経路Ｒ２〜Ｒ４についても検査を実行する場合には（Ｓ４１：ＹＥＳ）、新たに選択された出湯経路について、先に述べたのと同様な検査が繰り返されることとなる。ただし、その検査過程において、ステップＳ１２，Ｓ２４〜２７，Ｓ４２を実行させることができる。また、たとえば出湯経路Ｒ３，Ｒ４は、湯水混合弁２３Ｃを共用しているために、それら２つの出湯経路Ｒ３，Ｒ４に対応した検査を個々に実行する場合に、前記した一連の動作手順の全てを実行させていたのでは、重複した検査が実行され、時間などの無駄となる。さらに、診断者の立場からすると、検査が重複するか否かには関係なく、一部の検査のみを実行したい場合もある。このような観点から、診断装置Ｂにおいては、前記したように一連の検査工程のうち、診断者が実行したい検査を任意に選択して実行することができるように構成されている。
【００５３】
本実施形態の故障診断方法によれば、たとえば出湯経路Ｒ１〜Ｒ４のそれぞれに対応して実行される個々の検査のみでは判断することができない検査項目であっても、ステップＳ１２，Ｓ２４〜２７，Ｓ４２に示したように、適切に故障診断することが可能である。したがって、検査性能が高く、故障箇所を適切かつ早期に発見することができ、非常に便利となる。また、診断者は、１つの出湯経路に対応した検査をする都度、先栓６Ａ〜６Ｄの開け閉め操作を行なう必要があるものの、それ以外については、診断装置Ｂの表示部８１を見ながら、操作部８２の簡単な操作を行なうだけでよい。したがって、その作業は容易である。
【００５４】
なお、本発明は、前記実施形態の内容に限定されるものではない。
【００５５】
本発明でいう特定の検査項目の内容は、診断対象となる湯水混合ユニットの構造、とくに湯水混合ユニット内の配管構造に加え、電磁バルブなどの動作機器、ならびに温度センサや流量センサなどの状態監視用機器の具体的な種類、配置、個数などに応じて、任意に選択して決定できる事項である。特定の検査項目は、１つのみであってもよい。また、特定の検査項目の故障判断を行なうための具体的な判断手法も限定されるものではない。
【００５６】
前記実施形態の診断装置は、たとえば表示部を備えたパーソナルコンピュータを用いて構成されているが、汎用のパーソナルコンピュータではなく、それ専用に特化した診断装置として構成されていてもよい。また、それらの場合とは異なり、データ表示についてはたとえばリモコン３の表示部３２を利用して行なわせたり、あるいはデータ入力用などのスイッチ操作もリモコン３の操作スイッチを利用して行なわせることも可能である。診断装置は、給湯システムとは別個に構成されて、外付けで使用されるものでなくてもよい。給湯システムに診断装置が組み込まれた構成とすることもできる。さらに、診断用のプログラムを、たとえばリモコン３の制御部３０に格納させたり、あるいは湯水混合ユニット２の制御部２０に格納させるなどして、それらを診断装置として構成することも可能であり、そのような構成にしてもかまわない。
【００５７】
本発明に係る給湯システムを構成する給湯機としては、既述したとおり、湯水混合ユニットとの間でデータ通信を実行しないものを用いることができる。また、瞬間式のものに代えて、貯湯式のものを用いることもできる。瞬間式のものとしては、ガス燃焼式に代えて、それ以外のオイル燃焼式のものを用いてもよく、また貯湯式のものとしては、電気温水器などのヒータを用いた加熱方式に代えて、たとえばヒートポンプを用いた加熱方式、あるいは太陽熱を利用した加熱方式でもよい。給湯機は、要は湯を生成して湯水混合ユニットに供給する機能を備えていればよい。
【００５８】
湯水混合ユニットの湯水混合手段としては、前記した湯水混合弁２３とは異なる構造の湯水混合手段を用いることが可能である。この湯水混合手段は、複数設けられていればよく、その具体的な数も限定されない。各湯水混合手段の下流側に形成される出湯経路も、複数あればよく、その数はやはり限定されない。湯水混合手段の数と出湯経路の数とが一致するか否かも問わない。前記実施形態の配管２４Ｃのように、分岐した配管を用いるか否かも任意に選択できる事項である。給湯システムの構成要素間の通信方式は、重畳２芯方式に代えて、たとえばワイヤレス通信方式（赤外線通信などの光通信を含む）などの他の通信方式を採用することもできる。診断装置を通信接続する場合の通信方式についても同様である。
【図面の簡単な説明】
【００５９】
【図１】本発明が適用される給湯システムの一例を示す説明図である。
【図２】図１に示す給湯システムに用いられている湯水混合ユニットの説明図である。
【図３】本発明が適用された診断装置のデータ処理部の動作処理手順の一例の一部を示すフローチャートである。
【図４】本発明が適用された診断装置のデータ処理部の動作処理手順の一例の他の一部を示すフローチャートである。
【図５】本発明が適用された診断装置のデータ処理部の動作処理手順の一例の他の一部を示すフローチャートである。
【符号の説明】
【００６０】
Ａ                給湯システム
Ｂ                診断装置
Ｒ１〜Ｒ４        出湯経路
１                給湯機
２                湯水混合ユニット
６Ａ〜６Ｄ        先栓
２０              制御部
２２Ａ            入湯開閉弁
２２Ｂ            入水開閉弁
２３              湯水混合弁（湯水混合手段）
６０Ａ〜６０Ｄ    給湯管
７０Ａ            入湯温度センサ
７０Ｂ            入水温度センサ
７１              出湯温度センサ
７３              流量センサ
８０              データ処理部（診断装置の）
８１              表示部（診断装置の）
８２              操作部（診断装置の）
【図１】
2006242408.tif 000003
【図２】
2006242408.tif 000004
【図３】
2006242408.tif 000005
【図４】
2006242408.tif 000006
【図５】
2006242408.tif 000007